(57)【要約】【課題】手袋体に収納部を設け、この収納部に連設状態にして防寒機能が得られる被覆体を収納した構成の防寒手袋において、収納部からの被覆体の出し入れ操作の操作性を向上させること。【解決手段】手袋体１の裾部10の側部を分断すると共に、甲部側の分断端部10Ｂと掌部側の分断端部10Ｃとをまち部11を介して連設して、このまち部11を畳むことで裾部10を手袋体１内に挿入した手首Ｔ周囲に沿設した状態とし得、このまち部11を開くことで甲部側の裾部10に設けた出入口部４を前記手袋体１に挿入した手首Ｔに対して外側に離反した状態とし得るように構成し、前記まち部11を畳んだ状態を保持する保持手段５を備え、この保持手段５を解除することで前記まち部11を開くことができる構成とした防寒手袋。【選択図】図１
2008045224.tif 000002
【特許請求の範囲】
【請求項１】
手袋体の甲部分に収納部を設け、この収納部内に、手袋体の指先から裾部に至るまでの略全体を被覆し得る被覆体を収納配設し、この手袋体の甲部分の裾部に、この裾部の裾縁に沿った手首周り方向に開口幅を有し且つこの裾部の外部と前記収納部の内部とを連通する開閉自在な出入口部を設けて、この出入口部を開放した連通開口部を介して前記収納部より前記被覆体を出し入れし得るように構成し、この被覆体を、前記裾部若しくは前記収納部に対して分離することなく連設状態に設けた防寒手袋において、前記手袋体の裾部の側部を分断すると共に、甲部側の分断端部と掌部側の分断端部とをまち部を介して連設して、このまち部を畳むことで裾部を手袋体内に挿入した手首周囲に沿設した状態とし得、このまち部を開くことで甲部側の裾部に設けた前記出入口部を前記手袋体に挿入した手首に対して外側に離反した状態とし得るように構成し、前記まち部を畳んだ状態を保持する保持手段を備え、この保持手段を解除することで前記まち部を開くことができる構成としたことを特徴とする防寒手袋。
【請求項２】
前記手袋体の裾部の側部を分断してこの裾部の甲部側の分断端部を手袋体の側方へ向けて延設すると共に、この甲部側の分断端部たる側方延設部の延設端部にまで前記出入口部を延設してこの出入口部を開放した際の前記連通開口部の開口幅を拡大せしめ、この側方延設部と掌部側の分断端部とを前記まち部を介して連設する構成としたことを特徴とする請求項１記載の防寒手袋。
【請求項３】
前記手袋体の甲部分に、この手袋体の外部と前記収納部内部とを連通する開閉自在な補助開閉部を設け、開放したこの補助開閉部を介して収納部内の前記被覆体の収納状態を修正し得るように構成したことを特徴とする請求項１，２のいずれか１項に記載の防寒手袋。
【請求項４】
前記被覆体は伸縮性を有する構成とし、この伸縮性を有する被覆体の裾部の一部を、前記収納部内の前記連通開口部近傍に連設する構成とするか、若しくは前記収納部内の前記連通開口部近傍に、伸縮性を有する連設部を介して前記被覆体の裾部の一部を連設する構成としたことを特徴とする請求項１〜３のいずれか１項に記載の防寒手袋。
【発明の詳細な説明】
【技術分野】
【０００１】
本発明は、例えば、スキー用やスノーボード用や登山用に適した防寒手袋に関するものである。
【背景技術】
【０００２】
出願人は、この種の防寒手袋として、特開２００４−３６０１１９号（特許文献１）を提案している。
【０００３】
この特許文献１を簡単に説明すると、手袋体の甲部分に収納部を設け、この収納部内に、手袋体の指先から裾部に至るまでの略全体を被覆し得るミトン形の被覆体を出し入れ自在に収納配設すると共に、この被覆体は手袋体若しくは収納部に対して分離することなく連設状態に設けた構成である。
【０００４】
そして、このように構成した特許文献１によれば、収納部内に被覆体を邪魔にならないように収納しておくことができるために、オーバーミトンと称される従来の防寒具のように防寒手袋と別個に携帯しておくような手間がなく、また、収納部は、手袋体の甲部分に設けられているため、手袋体の掌部分は従来の防寒手袋と同様の作業性・機能性を発揮することになり、しかも、単に、収納部内から被覆体を取り出して手袋体の指先から裾部に至るまでの略全体を被覆するだけの簡単な操作で手袋体の略全体に対して防寒性を付与することができるし、この際、手袋体若しくは収納部に対して被覆体が連設しているために、落として紛失するようなこともないなど、極めて実用的であった。
【０００５】
【特許文献１】特開２００４−３６０１１９号公報
【発明の開示】
【発明が解決しようとする課題】
【０００６】
本発明は、この特許文献１の実用性を更に追求した改良出願に係るもので、収納部からの被覆体の出し入れ操作の操作性を一層向上させた防寒手袋を提供するものである。
【課題を解決するための手段】
【０００７】
添付図面を参照して本発明の要旨を説明する。
【０００８】
手袋体１の甲部分に収納部２を設け、この収納部２内に、手袋体１の指先から裾部10に至るまでの略全体を被覆し得る被覆体３を収納配設し、この手袋体１の甲部分の裾部10に、この裾部10の裾縁10Ａに沿った手首Ｔ周り方向に開口幅を有し且つこの裾部10の外部と前記収納部２の内部とを連通する開閉自在な出入口部４を設けて、この出入口部４を開放した連通開口部４Ａを介して前記収納部２より前記被覆体３を出し入れし得るように構成し、この被覆体３を、前記裾部10若しくは前記収納部２に対して分離することなく連設状態に設けた防寒手袋において、前記手袋体１の裾部10の側部を分断すると共に、甲部側の分断端部10Ｂと掌部側の分断端部10Ｃとをまち部11を介して連設して、このまち部11を畳むことで裾部10を手袋体１内に挿入した手首Ｔ周囲に沿設した状態とし得、このまち部11を開くことで甲部側の裾部10に設けた前記出入口部４を前記手袋体１に挿入した手首Ｔに対して外側に離反した状態とし得るように構成し、前記まち部11を畳んだ状態を保持する保持手段５を備え、この保持手段５を解除することで前記まち部11を開くことができる構成としたことを特徴とする防寒手袋に係るものである。
【０００９】
また、前記手袋体１の裾部10の側部を分断してこの裾部10の甲部側の分断端部10Ｂを手袋体１の側方へ向けて延設すると共に、この甲部側の分断端部10Ｂたる側方延設部10Ｂの延設端部にまで前記出入口部４を延設してこの出入口部４を開放した際の前記連通開口部４Ａの開口幅を拡大せしめ、この側方延設部10Ｂと掌部側の分断端部10Ｃとを前記まち部11を介して連設する構成としたことを特徴とする請求項１記載の防寒手袋に係るものである。
【００１０】
また、前記手袋体１の甲部分に、この手袋体１の外部と前記収納部２内部とを連通する開閉自在な補助開閉部６を設け、開放したこの補助開閉部６を介して収納部２内の前記被覆体３の収納状態を修正し得るように構成したことを特徴とする請求項１，２のいずれか１項に記載の防寒手袋に係るものである。
【００１１】
また、前記被覆体３は伸縮性を有する構成とし、この伸縮性を有する被覆体３の裾部の一部を、前記収納部２内の前記連通開口部４Ａ近傍に連設する構成とするか、若しくは前記収納部２内の前記連通開口部４Ａ近傍に、伸縮性を有する連設部７を介して前記被覆体３の裾部の一部を連設する構成としたことを特徴とする請求項１〜３のいずれか１項に記載の防寒手袋に係るものである。
【発明の効果】
【００１２】
本発明は上述のように構成したから、前記特許文献１の作用・効果に加えて、保持手段を解除してまち部を開くことで、手首に沿設していた甲部側の裾部を、手首に対して外側に離反した状態とすることができ、これにより裾部に設けた出入口部の連通開口部を手首に対して外側方向だけでなく手首の内側方向へも広げることができるため、たとえ、手袋体を手に装着した状態であってもこの連通開口部は非常に大きく開放することができ、この大きく開放する連通開口部から被覆体の出し入れ操作を容易に行うことができる極めて実用性に秀れた防寒手袋となる。
【００１３】
また、請求項２記載の発明においては、連通開口部の開口幅を側方延設部の延設端部にまで拡大したため、まち部を開いて甲部側の裾部を手首に対して外側に離反した状態とした際にこの連通開口部を更に大きく開放することができて、この連通開口部からの被覆体の出し入れ操作を一層容易に行うことができる実用性に秀れた構成の防寒手袋となる。
【００１４】
また、請求項３記載の発明においては、収納部内での被覆体の収まりが悪い場合に、補助開閉部を開放して被覆体の収納状況を簡単に収まり良く修正することができる一層実用性に秀れた構成の防寒手袋となる。
【００１５】
また、請求項４記載の発明においては、被覆体若しくはこの被覆体を収納部内の前記連通開口部近傍に連設する連設部が伸縮するので、被覆体の手袋体への着脱操作が非常に容易に行われる一層実用性に秀れた構成の防寒手袋となる。
【発明を実施するための最良の形態】
【００１６】
好適と考える本発明の実施形態（発明をどのように実施するか）を、図面に基づいて本発明の作用を示して簡単に説明する。
【００１７】
通常は、収納部２内に被覆体３を邪魔にならないように収納しておくことができる。従って、オーバーミトンと称される手袋に重ね装着する従来の防寒具のように、防寒手袋と別個に携帯しておく手間がない。
【００１８】
また、収納部２は、手袋体１の甲部分に設けられているため、被覆体３が収納状態であっても手袋体１の掌部分には何も影響がなく、この掌部分は従来の防寒手袋と同様の作業性・機能性を発揮する。
【００１９】
指先などが寒いときには、出入口部４を開放した連通開口部４Ａを介して収納部２内から被覆体３を取り出し、この被覆体３で手袋体１の指先から裾部10に至るまでの略全体を被覆することで、手袋体１の略全体に対して防寒性を付与向上させることができる。
【００２０】
また、この際、手袋体１の裾部10若しくは収納部２に対して連設する被覆体３は、万一手袋体１から外れてしまっても落として紛失するようなことはない。
【００２１】
また、収納部２から被覆体３を取り出す際、保持手段５を解除してまち部11を開くと、手首Ｔに沿設するように湾曲した状態（図５の状態）となっている甲部側の裾部10を、手首Ｔの周囲（甲部分）に対して外側に離反するように（持ち上げるように）操作することが可能となり、この甲部側の裾部10が手首Ｔに対して外側に離反した状態で甲部側の裾部10に設けた出入口部４を開放すると、たとえ、手袋体１を手に装着した状態であっても、図６に示すように、甲部分の裾部10Ａが手首Ｔから離れていることで連通開口部４Ａを手首Ｔに対して外側の方向にだけでなく手首Ｔの内側の方向へも広げることができるため、図５の状態のように裾部が手首Ｔに対して外側に離反できない場合と比べて本発明の出入口部４は連通開口部４Ａを非常に大きく開放することができ、この大きく開放することができる連通開口部４Ａから被覆体３の取り出し操作を容易に行うことができる。
【００２２】
また、同様にして、大きく開放できる連通開口部４Ａから収納部２への被覆体３の収納操作も容易に行うことができる。
【００２３】
また、例えば、前記手袋体１の裾部10の側部を分断してこの裾部10の甲部側の分断端部10Ｂを手袋体１の側方へ向けて延設すると共に、この甲部側の分断端部10Ｂたる側方延設部10Ｂの延設端部にまで前記出入口部４を延設してこの出入口部４を開放した際の前記連通開口部４Ａの開口幅を拡大せしめ、この側方延設部10Ｂと掌部側の分断端部10Ｃとを前記まち部11を介して連設する構成とすれば、連通開口部４Ａの開口幅が拡大したことで、前記まち部11を開いて甲部側の裾部10を手首Ｔに対して外側に離反した状態とした際にこの連通開口部４Ａを更に大きく開放することができるので、この連通開口部４Ａからの被覆体３の出し入れ操作を一層容易に行うことができる。
【００２４】
また、被覆体３の出し入れ操作を行わない際には、前記まち部11を畳み、この状態を保持手段５により保持することで、勝手にまち部11が開放するようなことなく、裾部10の手首Ｔへの装着感を良好に確保することができる（図５参照。）。
【００２５】
尚、請求項１中の「手首Ｔ」なる記載は、人体の手首そのものだけを意図したものではなく、スキーウェアや衣服などを着用することでこれらに覆われた状態の手首をも含む意味合いで用いている。
【００２６】
また、例えば、前記手袋体１の甲部分に、この手袋体１の外部と前記収納部２内部とを連通する開閉自在な補助開閉部６を設け、開放したこの補助開閉部６を介して収納部２内の前記被覆体３の収納状態を修正し得るように構成すれば、収納部２内での被覆体３の収まりが悪く、手袋体１若しくは裾部10の甲部分が局所的に大きく膨らんだりして装着感や体裁を損ってしまっているような場合に、補助開閉部６を開放して被覆体３の収納状況を簡単に収まり良く修正することができ、一層実用的となる。
【００２７】
また、例えば、前記被覆体３は伸縮性を有する構成とし、この伸縮性を有する被覆体３の裾部の一部を、前記収納部２内の前記連通開口部４Ａ近傍に連設する構成とするか、若しくは前記収納部２内の前記連通開口部４Ａ近傍に、伸縮性を有する連設部７を介して前記被覆体３の裾部の一部を連設する構成とすれば、被覆体３を手袋体１に被覆する際も、取り外す際も被覆体３若しくは連設部７が伸縮するので、この被覆体３の手袋体１への着脱操作を非常に行い易く、一層実用的となる。
【実施例１】
【００２８】
本発明の具体的な実施例１について図１〜図７に基づいて説明する。
【００２９】
本実施例は、図１に示すような、スキー用としてもスノーボード用としても登山用としても使用できる、五本指タイプであって、手袋体１の手首部分から腕方向へ筒形状に延設する裾部10を備えたグローブ（防寒手袋）に適用している。
【００３０】
本実施例では、手袋体１の甲部分から裾部10にかけて収納部２を設け、この収納部２内に、手袋体１の指先から裾部10に至るまでの略全体を被覆し得るミトン形の被覆体３を出し入れ自在に収納配設すると共に、この被覆体３は手袋体１若しくは収納部２に対して分離することなく連設状態に設けている。
【００３１】
具体的には、手袋体１の甲部分の外地と内地とを縫合せずにこの外地と内地との間に隙間を生じ得るように構成し、この外地と内地とに生じさせた隙間を前記収納部２としている。即ち、収納部２は、手袋体１の甲部分に内装した構成としている。
【００３２】
また、この収納部２は、手袋体１の甲部分から裾部10に至るまでの略全域に内装した構成とし、この手袋体１の甲部側の裾部10の表面に、この手袋体１外部と前記収納部２内部とを連通する開閉自在な出入口部４を設け、この出入口部４を開放した連通開口部４Ａを介して収納部２より前記被覆体３を出し入れし得るように構成している。
【００３３】
本実施例の出入口部４は、図１に示すように、甲部側の裾部10の裾縁10Ａの近傍にしてこの裾縁10Ａに沿った手首Ｔ周り方向に長さを有する一文字状の開口部に形成し、この一文字状の出入口部４をファスナー４Ｂにより開閉する構成とし、簡単に開閉操作を行えるようにしている。
【００３４】
尚、この収納部２には、被覆体３と同時に他の用品を収納したり、保温性を高めるために携帯用カイロなどの保温剤を収納したりすることもできる。
【００３５】
また、本実施例の被覆体３は、図２，図４に示すように、五指が全て包まれると共に、手袋体１の裾部10までもが略完全に覆われる二本指タイプのミトン形に形成している。即ち、この被覆体３は、オーバーミトンと称される手袋に重ね装着して防寒性を向上させる防寒具と同様の構成である。
【００３６】
また、この被覆体３の手首部分には、ゴムなどの伸縮素材を縫製して伸縮性を付与し、この被覆体３を前記手袋体１に被覆した際にこの被覆体３の手首部分の伸縮部３Ａが手袋体１の手首部分にフィットして装着感を良好に保持し、簡単に被覆体３が外れてしまうことのない構成としている。尚、この被覆体３の手首部分に締付ベルト等の締付具を設けることで装着感を保持する構成としても良いが、本実施例のように伸縮部３Ａを設ける構成の方が、収納部２内に収納する際に嵩を生じにくく（収納し易く）、実用的である。
【００３７】
また、この被覆体３の裾縁の甲部側に帯状の連設部７の一端部を縫着し、この連設部７の他端部を前記収納部２内の前記連通開口部４Ａ近傍に縫着して被覆体３を手袋体１の収納部２に連設した構成としている（図２，図３参照。）。
【００３８】
また、この収納部２と被覆体３とを連設する連設部７は、伸縮性を有する素材製（例えばゴム製）とし、この連設部７を伸ばすことで容易に被覆体３を手袋体１に被覆したり、取り外したりすることができる構成としている。
【００３９】
尚、例えば、被覆体３を伸縮性を有する素材（生地）で構成し、この伸縮性を有する被覆体３の裾縁を前記収納部２内の前記連通開口部４Ａ近傍に縫着することで被覆体３を手袋体１の収納部２に連設した構成として、この被覆体３自身がもつ伸縮性により、前記した伸縮性を有する連設部７により連設した構成と同等の、手袋体１に対する被覆体３の着脱容易性が発揮される構成としても良い。
【００４０】
また、本実施例では、前記手袋体１の裾部10の側部を分断すると共に、甲部側の分断端部10Ｂと掌部側の分断端部10Ｃとをまち部11を介して連設して、このまち部11を畳むことで裾部10を手袋体１内に挿入した手首Ｔ周囲に沿設した状態とし得、このまち部11を開くことで甲部側の裾部10と共にこの甲部側の裾部10に設けた前記出入口部４を前記手袋体１に挿入した手首Ｔに対して外側に離反した状態とし得るように構成している。
【００４１】
具体的には、図１，図２に示すように、前記手袋体１の裾部10の側部を分断してこの裾部10の甲部側の分断端部10Ｂを手袋体１の側方へ向けて延設すると共に、この甲部側の分断端部10Ｂたる側方延設部10Ｂの延設端部にまで前記出入口部４を延設してこの出入口部４を開放した際の前記連通開口部４Ａの開口幅を拡大し、この側方延設部10Ｂと掌部側の分断端部10Ｃとをまち部11を介して連設する構成としている。
【００４２】
更に詳しくは、裾部10の左右側部のいずれか一方（図面では右手用手袋体１の甲側から見て左側部）を分断し、この分断端部間にまち部11を設けている。
【００４３】
そして、この左側部のまち部11を開くことで裾部10の筒径を広くすることができると共に、側方延設部10Ｂを手袋体１内に挿入した手首Ｔに対して持ち上げるように（外側に離反するように）操作することができるように構成している。
【００４４】
従って、前記収納部２から前記被覆体３を取り出す際にまち部11を開くことで、図５のように手首Ｔに沿設状態となっている甲部側の裾部10を、図６のように手首Ｔに対して外側に離反した状態とすることができ、この際、甲部側の裾部10が手首Ｔから離れることで連通開口部４Ａを手首Ｔに対して外側の方向にだけでなく手首Ｔの内側の方向へも広げることができるため、このように甲部側の裾部を手首から大きく外側に離すことができず、裾部が常に手首周り方向に沿った湾曲状となる従来の手袋に出入口部４を設けた場合と比べて本実施例の連通開口部４Ａは非常に大きく開放することができ、しかも、この甲部側の裾部10の側方延設部10Ｂの延設端部にまで出入口部４が形成されているため連通開口部４Ａの開口幅が非常に広く、たとえ、手袋体１を手に装着した状態であっても、この大きく開放することができる連通開口部４Ａから被覆体３の取り出し操作を容易に行うことができる構成としている。
【００４５】
また、本実施例では、前記まち部11を畳んで前記裾部10の筒径を狭くした状態を保持する保持手段５を備え、この保持手段５を解除することで前記まち部11を開くことができるように構成している。
【００４６】
具体的には、保持手段５は、前記側方延設部10Ｂの延設端部に、裾部10の手首周り方向に長さを有する帯状の止ベルト５Ａを付設し、この止ベルト５Ａの内面と、掌部側の裾部10とにマジックテープ（登録商標）５Ｂなどの着脱自在な係合止着部材５Ｂを付設して、図５に示すように、まち部11を内側に畳んで側方延設部10Ｂを掌部側の裾部10（分断端部10Ｃも含む）の表面に重合させると共に、止ベルト５Ａを掌部側の裾部10に重合して前記係合止着部材５Ｂ同士を係合止着すると、このまち部11が畳まれて裾部10の筒径が狭くなった状態（手袋体１を手に装着した際に裾部10が手首Ｔの周囲に沿設した状態）が保持（裾部10の手首Ｔへの装着感が良好に保持）される構成としている。
【００４７】
また、本実施例では、前記手袋体１の甲部分に、この手袋体１の外部と前記収納部２内部とを連通する開閉自在な補助開閉部６を設け、図７に示すように、開放したこの補助開閉部６を介して収納部２内の前記被覆体３の収納状態を修正し得るように構成している。
【００４８】
具体的には、手袋体１の甲部分に、手袋体１の側縁部（図面では右手用手袋体１の甲側から見て右側縁部）に沿った方向に開口幅を有する一文字状の補助開閉部６を設け、この補助開閉部６はファスナー６Ａにより容易に開閉操作し得る構成としている。
【実施例２】
【００４９】
本発明の具体的な実施例２について図８に基づいて説明する。
【００５０】
本実施例は、補助開閉部６の別例を示したもので、他の構成は前記実施例１と同様である。
【００５１】
具体的には、開口形状が転Ｌ字状を呈する補助開閉部６を形成した場合を示している。
【実施例３】
【００５２】
本発明の具体的な実施例３について図９に基づいて説明する。
【００５３】
本実施例も、補助開閉部６の別例を示したもので、他の構成は前記実施例１と同様である。
【００５４】
具体的には、開口形状が転コ字状を呈する補助開閉部６を形成した場合を示している。
【００５５】
尚、本発明は、実施例１〜３に限られるものではなく、各構成要件の具体的構成は適宜設計し得るものである。
【００５６】
例えば、本実施例では、五本指タイプの手袋体１を示したが、ミトンタイプ（二本指及び三本指タイプ）の手袋体１を採用しても良い。
【００５７】
また、本実施例では、手袋体１の裾部10の外側面に出入口部４を設けた場合を示したが、手袋体１の裾部10の内側面や裾縁10Ａに出入口部４を設けても良い。
【００５８】
また、本実施例の被覆体３は、二本指タイプのミトン形に構成した場合を示したが、人差し指が分離した三本指タイプのミトン形に構成しても良いし、ミトン形でなく、五本指タイプに構成しても良い。
【００５９】
また、被覆体３には、ゴーグル・眼鏡等のくもりや水滴を除去するゴーグルブレード機能を持たせたり、防水機能を持たせたり、撥水機能を持たせたり、掌の部分にグリップの高い素材を採用してグリップ機能を持たせたり、保温素材で構成して更なる防寒機能を持たせても良い。
【００６０】
また、補助開閉部６は、実施例１〜３以外の形状のものを構成しても良い。
【図面の簡単な説明】
【００６１】
【図１】実施例１を示す正面図である。
【図２】実施例１の収納部から被覆体を取り出した状態を示す斜視図である。
【図３】実施例１の収納部から被覆体を取り出した状態を示す側面図である。
【図４】実施例１の手袋体に被覆体を被覆した状態を示す正面図である。
【図５】実施例１の、裾部のまち部を畳んで保持手段により保持した状態を示す説明図である。
【図６】実施例１の、保持手段を解除して裾部のまち部を開いた状態を示す説明図である。
【図７】実施例１の補助開閉部から収納部に指を入れて被覆体の収納状況を修正する様子を示した説明正面図である。
【図８】実施例２を示す正面図である。
【図９】実施例３を示す正面図である。
【符号の説明】
【００６２】
１  手袋体
２  収納部
３  被覆体
４  出入口部
４Ａ  連通開口部
５  保持手段
６  補助開閉部
７  連設部
10  裾部
10Ａ  裾縁
10Ｂ  甲部側の分断端部（側方延設部）
10Ｃ  掌部側の分断端部
11  まち部
Ｔ  手首
【図１】
2008045224.tif 000003
【図２】
2008045224.tif 000004
【図３】
2008045224.tif 000005
【図４】
2008045224.tif 000006
【図５】
2008045224.tif 000007
【図６】
2008045224.tif 000008
【図７】
2008045224.tif 000009
【図８】
2008045224.tif 000010
【図９】
2008045224.tif 000011